【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
電子貨幣に基づく決済を実行する第１端末によって実行されるプログラムであって、
前記第１端末の通信部によって、前記電子貨幣による決済を管理するサーバに第１電子貨幣の情報を送信することと、
前記第１端末のユーザまたは前記第１端末と、第２端末のユーザまたは前記第２端末とが少なくとも使用可能な、前記第２端末によって送信された第２電子貨幣の情報と前記第１電子貨幣の情報とに基づく第３電子貨幣に基づき、決済に関する処理を前記第１端末によって実行することと、
決済処理された前記第３電子貨幣の残高が少なくとも第４電子貨幣の情報と第５電子貨幣の情報とに分割され、前記サーバから送信された前記第４電子貨幣に関する情報を前記通信部によって受信することとが前記第１端末によって実行される。
【請求項２】
請求項１に記載のプログラムであって、
前記第５電子貨幣に関する情報は、前記サーバにより前記第２端末に送信される。
【請求項３】
請求項１または請求項２に記載のプログラムであって、
前記第１電子貨幣に関する情報に基づき、前記第１端末のユーザまたは、前記第１端末の電子貨幣の残高を減少させる処理を前記第１端末の制御部によって行うことと、
前記第４電子貨幣に関する情報に基づき、前記第１端末のユーザまたは、前記第１端末の電子貨幣の残高を増加させる処理を前記制御部によって行うこととが前記第１端末によって実行される。
【請求項４】
請求項１から請求項３のいずれか一項に記載のプログラムであって、
前記第４電子貨幣と前記第５電子貨幣とは、前記決済処理された前記第３電子貨幣の残高から同じ価値に分割される。
【請求項５】
請求項１から請求項３のいずれか一項に記載のプログラムであって、
前記決済処理された前記第３電子貨幣の残高は、前記第１電子貨幣の情報と前記第２電子貨幣の情報とに基づき、前記第４電子貨幣の情報と前記第５電子貨幣の情報とに分割される。
【請求項６】
請求項１から請求項３のいずれか一項に記載のプログラムであって、
前記決済処理された前記第３電子貨幣の残高の分割に関する情報を前記第１端末の表示領域に表示することが前記第１端末によって実行される。
【請求項７】
請求項６に記載のプログラムであって、
前記決済処理された前記第３電子貨幣の残高から分割される前記第４電子貨幣の値と前記第５電子貨幣の値とは、前記表示領域に表示された、前記残高の分割に関する情報に対する入力に基づいて、変更される。
【請求項８】
請求項７に記載のプログラムであって、
前記残高の分割に関する情報は、グラフによって前記表示領域に表示される。
【請求項９】
請求項１から請求項８のいずれか一項に記載のプログラムであって、
前記第１端末のユーザまたは前記第１端末と、前記第２端末のユーザまたは前記第２端末とが少なくとも使用可能な前記電子貨幣の調達目標値が設定され、前記電子貨幣の前記調達目標値を前記第１端末の表示領域に表示することが前記第１端末によって実行される。
【請求項１０】
請求項９に記載のプログラムであって、
前記電子貨幣による出資を前記第１端末とは異なる端末のユーザに依頼する情報を前記表示領域に表示することが前記第１端末によって実行される。
【請求項１１】
請求項１０に記載のプログラムであって、
前記第１端末とは異なる端末に依頼する前記電子貨幣の出資の値を設定するための表示を前記表示領域に行うことが前記第１端末によって実行される。
【請求項１２】
電子貨幣に基づく決済を実行する第１端末の情報処理方法であって、
前記第１端末の通信部によって、前記電子貨幣による決済を管理するサーバに第１電子貨幣の情報を送信することと、
前記第１端末のユーザまたは前記第１端末と、第２端末のユーザまたは前記第２端末とが少なくとも使用可能な、前記第２端末によって送信された第２電子貨幣の情報と前記第１電子貨幣の情報とに基づく第３電子貨幣に基づき、決済に関する処理を前記第１端末によって実行することと、
決済処理された前記第３電子貨幣の残高が少なくとも第４電子貨幣の情報と第５電子貨幣の情報とに分割され、前記サーバから送信された前記第４電子貨幣に関する情報を前記通信部によって受信することとを含む。
【請求項１３】
電子貨幣に基づく決済を実行する端末であって、
前記電子貨幣による決済を管理するサーバに第１電子貨幣の情報を送信する通信部と、
前記端末のユーザまたは前記端末と、第２端末のユーザまたは前記第２端末とが少なくとも使用可能な、前記第２端末によって送信された第２電子貨幣の情報と前記第１電子貨幣の情報とに基づく第３電子貨幣に基づき、決済に関する処理を実行する制御部とを備え、
前記通信部は、決済処理された前記第３電子貨幣の残高が少なくとも第４電子貨幣の情報と第５電子貨幣の情報とに分割され、前記サーバから送信された前記第４電子貨幣に関する情報を受信する。
【手続補正２】
【補正対象書類名】明細書
【補正対象項目名】発明の名称
【補正方法】変更
【補正の内容】
【発明の名称】プログラム、情報処理方法、端末
【手続補正３】
【補正対象書類名】明細書
【補正対象項目名】０００１
【補正方法】変更
【補正の内容】
【０００１】
本開示は、プログラム、情報処理方法、端末に関する。
【手続補正４】
【補正対象書類名】明細書
【補正対象項目名】０００４
【補正方法】変更
【補正の内容】
【０００４】
本発明の第１の態様によると、電子貨幣に基づく決済を実行する第１端末によって実行されるプログラムは、第１端末の通信部によって、電子貨幣による決済を管理するサーバに第１電子貨幣の情報を送信することと、第１端末のユーザまたは第１端末と、第２端末のユーザまたは第２端末とが少なくとも使用可能な、第２端末によって送信された第２電子貨幣の情報と第１電子貨幣の情報とに基づく第３電子貨幣に基づき、決済に関する処理を第１端末によって実行することと、決済処理された第３電子貨幣の残高が少なくとも第４電子貨幣の情報と第５電子貨幣の情報とに分割され、サーバから送信された第４電子貨幣に関する情報を通信部によって受信することとが第１端末によって実行される。
本発明の第２の態様によると、電子貨幣に基づく決済を実行する第１端末の情報処理方法は、第１端末の通信部によって、電子貨幣による決済を管理するサーバに第１電子貨幣の情報を送信することと、第１端末のユーザまたは第１端末と、第２端末のユーザまたは第２端末とが少なくとも使用可能な、第２端末によって送信された第２電子貨幣の情報と第１電子貨幣の情報とに基づく第３電子貨幣に基づき、決済に関する処理を第１端末によって実行することと、決済処理された第３電子貨幣の残高が少なくとも第４電子貨幣の情報と第５電子貨幣の情報とに分割され、サーバから送信された第４電子貨幣に関する情報を通信部によって受信することとを含む。
本発明の第３の態様によると、電子貨幣に基づく決済を実行する端末は、電子貨幣による決済を管理するサーバに第１電子貨幣の情報を送信する通信部と、端末のユーザまたは端末と、第２端末のユーザまたは第２端末とが少なくとも使用可能な、第２端末によって送信された第２電子貨幣の情報と第１電子貨幣の情報とに基づく第３電子貨幣に基づき、決済に関する処理を実行する制御部とを備え、通信部は、決済処理された第３電子貨幣の残高が少なくとも第４電子貨幣の情報と第５電子貨幣の情報とに分割され、サーバから送信された第４電子貨幣に関する情報を受信する。